(57)【特許請求の範囲】
【請求項１】
光記録媒体上の位相基準信号とグルーブウォッブル信号との位相差を検出する装置において、
前記グルーブウォッブル信号を入力信号とする位相同期ループ回路の結果としてウォッブルクロック信号と、前記グルーブウォッブル信号と位相同期された被ウォッブル信号とを出力するウォッブルＰＬＬ部と、
前記位相基準信号の中心を検出し、中心検出信号を出力する中心検出部と、
前記中心検出部の中心検出信号から最初に発生する被ウォッブル信号の立上りエッジでカウントホールド信号を生じるカウントホールド信号生成部と、
前記中心検出信号からグルーブウォッブル信号の周期に対応するウォッブルクロックのカウント値をセットし、ホールド信号の発生時点までウォッブルクロック単位でダウンカウントするカウンターと、
前記カウンターでカウントされた値を前記ホールド信号を用いてラッチし、次のホールド信号が生じるまで保って実際に補償すべきグルーブウォッブル信号の位相差を算出するカウントラッチ部と、を含むことを特徴とする光記録媒体上の位相基準信号とグルーブウォッブル信号との位相差検出装置。
【請求項２】
前記中心検出部は、
位相基準信号の立上りエッジ１Ｔを検出して２〜３Ｔを遅延させることによって位相基準信号の中心検出信号を出力することを特徴とする請求項１に記載の光記録媒体上の位相基準信号とグルーブウォッブル信号との位相差検出装置。
【請求項３】
前記位相差が所定制御部で読取られるように前記被ウォッブル信号を分周した信号をインタラプト信号として制御部に提供することを特徴とする請求項１に記載の光記録媒体上の位相基準信号とグルーブウォッブル信号との位相差検出装置。
【請求項４】
光記録媒体の記録及び再生時の位相基準信号とグルーブウォッブル信号との位相差検出方法において、
前記グルーブウォッブル信号を入力信号とする位相同期ループ回路の結果としてウォッブルクロック信号と、前記グルーブウォッブル信号と位相同期された被ウォッブル信号とを出力する段階と、
前記位相基準信号の中心を検出し、中心検出信号を出力する段階と、
前記中心検出信号から前記被ウォッブル信号の最初の立上りエッジでカウントをホールドするためのホールド信号を生じる段階と、
前記中心検出信号からグルーブウォッブル信号の周期に対応するウォッブルクロックのカウント値をセットし、ホールド信号が生じる時点までウォッブルクロック単位でダウンカウントする段階と、
前記カウントされた値を前記ホールド信号を用いてホールドし、次のホールド信号が生じるまで保って位相基準信号とグルーブウォッブル信号との位相差として算出する段階と、を含むことを特徴とする光記録媒体上の位相基準信号とグルーブウォッブル信号との位相差検出方法。
【請求項５】
前記位相基準信号の中心検出では、
ＤＶＤ−Ｒ、ＤＶＤ−ＲＷの場合、ＬＰＰ信号の立上りエッジ１Ｔを検出して２〜３Ｔを遅延させることによって、ＬＰＰの中心検出信号を出力することを特徴とする請求項４に記載の光記録媒体上の位相基準信号とグルーブウォッブル信号との位相差検出方法。
【発明の詳細な説明】
【０００１】
【発明の属する技術分野】
本発明は光記録媒体の記録制御に係り、特に光記録媒体のアドレス情報とウォッブル信号との位相差検出及びそれによる位相差補正制御方法に関する。
【０００２】
【従来の技術】
ＤＶＤ−Ｒ、ＤＶＤ−ＲＷのような光記録媒体は、ディスク基板の製作中にアドレス情報を含むピットをランド上に設けたＬＰＰ（Ｌａｎｄ Ｐｒｅ−Ｐｉｔ）を備える。ＬＰＰ信号は、光ビームが光記録媒体のトラックに沿って行く時に読み出され、記録前／後の記録機器の光ピックアップで測定される。
【０００３】
グルーブウォッブル信号も光ビームがトラックに追従する時に読み出され、記録前／後の記録機器の光ピックアップで測定される。
【０００４】
グルーブウォッブル信号がサイン波信号とすれば、ディスク上でグルーブウォッブルとＬＰＰ信号とは９０±１０°の位相差を有するように形成される。ウォッブル信号とＬＰＰ信号との位相差は、ＬＰＰ信号の最高点とウォッブルの平均ゼロクロッシング点との間で計測される。このような位相差はＬＰＰを正しくデコーディングし、光記録媒体上の正確な地点にデータ記録を行えるように一定に保たねばならない。
【０００５】
ウォッブルとＬＰＰとの検出時、検出フィルター自体の特性による位相差がさらに生じて結果的にウォッブルとＬＰＰとの正確な位相差が得られないという問題点が生じた。
【０００６】
ＤＶＤ＋Ｒ、ＤＶＤ＋ＲＷのような光記録媒体において、アドレス情報は、ウォッブルの位相情報を用いてディスク上に刻む。ウォッブル検出時、位相基準信号対検出フィルター自体の特性によって生じるウォッブル位相誤差は光記録媒体上の正確な地点にデータ記録を行えるように補正する必要がある。
【０００７】
【発明が解決しようとする課題】
本発明が解決しようとする技術的課題は、光記録媒体上に正しいデータ記録及び再生がなされるように光記録媒体上で位相基準信号とウォッブル信号との位相差を正確に検出する装置及び方法を提供するところにある。
【０００８】
【課題を解決するための手段】
前記課題を解決するための光記録媒体の記録及び再生装置は、光記録媒体上の位相基準信号とグルーブウォッブル信号との位相差を検出し、所定基準以上の位相差が生じる時、それを補正して光記録媒体上の記録及び再生信号処理を行うデータ処理部を含むことを特徴とする。
【０００９】
前記課題を解決するための光記録媒体上の位相基準信号とグルーブウォッブル信号との位相差検出装置は、前記ウォッブル信号を入力信号とする位相同期ループ回路の結果としてウォッブルクロック信号と、ウォッブル信号と位相同期された被ウォッブル信号とを出力するウォッブルＰＬＬ部と、前記位相基準信号の中心を検出し、中心検出信号を出力する中心検出部と、前記中心検出部の中心検出信号から最初に発生する被ウォッブルの立上りエッジでカウントホールド信号を生じるカウントホールド信号生成部と、前記中心検出信号から位相基準信号の周期をセットし、ホールド信号の発生時点までウォッブルクロック単位でダウンカウントするカウンターと、前記カウンターでカウントされた値を前記ホールド信号を用いてラッチし、次のホールド信号が生じるまで保って実際に補償すべきウォッブルの位相差を算出するカウントラッチ部と、を含むことを特徴とする。
【００１０】
前記中心検出部は、位相基準信号の立上りエッジ１Ｔを検出して２〜３Ｔを遅延させることによって位相基準信号の中心検出信号を出力することが望ましい。
【００１１】
前記位相差が所定制御部で読取られるように前記被ウォッブル信号を分周した信号をインタラプト信号として制御部に提供することが望ましい。
【００１２】
前記課題を解決するための光記録媒体の記録及び再生方法は、光記録媒体上の位相基準信号とウォッブル信号との位相差を検出する段階と、前記位相差が所定基準以上である時、それを補償する段階と、を含むことを特徴とする。
【００１３】
前記課題を解決するための光記録媒体の記録及び再生時位相基準信号とウォッブル信号との位相差検出方法は、前記ウォッブル信号を入力信号とする位相同期ループ回路の結果としてウォッブルクロック信号と、ウォッブル信号と位相同期された被ウォッブル信号とを出力する段階と、前記位相基準信号の中心を検出し、中心検出信号を出力する段階と、前記中心検出信号から前記被ウォッブル信号の最初の立上りエッジでカウントをホールドするためのホールド信号を生じる段階と、前記中心検出信号から位相基準信号の周期をセットし、ホールド信号が生じる時点までウォッブルクロック単位でダウンカウントする段階と、前記カウントされた値を前記ホールド信号を用いてホールドし、次のホールド信号が生じるまで保って位相基準信号とウォッブルとの位相差として算出する段階と、を含むことを特徴とする。
【００１４】
前記位相基準信号の中心検出では、ＤＶＤ−Ｒ、ＤＶＤ−ＲＷの場合、ＬＰＰ信号の立上りエッジ１Ｔを検出して２〜３Ｔを遅延させることによって、ＬＰＰの中心検出信号を出力することが望ましい。
【００１５】
【発明の実施の形態】
以下、添付した図面に基づき、本発明を詳細に説明する。
【００１６】
図１は、光記録媒体の記録及び再生装置の概略的なブロック図である。
【００１７】
図１の光記録媒体の記録及び再生装置はピックアップユニット１００、適応レーザー電力制御部（Ａｄａｐｔｉｖｅ Ｌａｓｅｒ Ｐｏｗｅｒ Ｃｏｎｔｒｏｌｌｅｒ；ＡＬＰＣ）１０１、高周波増幅器（ＲＦ−ＡＭＰ）１０２、データプロセッサー１０３、ホストインターフェース部１０４、サーボ制御部１０５及びモーター駆動部１０６を含む。
【００１８】
ピックアップユニット１００は光記録媒体１０上に記録された信号を読出す。
【００１９】
適応レーザー電力制御部１０１はデータプロセッサー１０３から記録パルス信号と記入クロック信号とを提供されて記録のためにレーザー光量を制御する。したがって、記入クロック信号によって記録パルス信号がピックアップユニット１００を通じて光記録媒体１０上に記録マーク状に記録される。
【００２０】
高周波増幅器１０２は、ピックアップユニット１００から出力される微細な電気的信号を増幅する。増幅された電気的信号から再生信号とウォッブル信号とを検出してデータプロセッサー１０３に提供する。
【００２１】
データプロセッサー１０３は再生時に高周波増幅器１０２から提供される再生信号から同期信号検出、挿入及び保護を行い、復調、エラー検出／訂正を行う。また高周波増幅器１０２の各種のコントロール信号を生成し、サーボと関連した信号をサーボ制御部１０５に提供する。データプロセッサー１０３は記録時、ホストインターフェース部１０４を通じてホスト１１から提供されるデータの変調、エラー訂正符号化などを行い、それによる記録パルス信号を生成して適応レーザー電力制御部１０１に提供する。本発明と関連し、データプロセッサー１０３はウォッブル信号と位相基準信号（例えば、ＤＶＤ−Ｒ、ＤＶＤ−ＲＷにおけるＬＰＰ信号）との位相差を検出し、それに対して補償する回路を含み、これについては図２に基づいて以下で詳細に説明する。
【００２２】
ホストインターフェース１０４は光記録／再生装置のデータプロセッサー１０３とホスト１１とのインターフェースを担当する。
【００２３】
サーボ制御部１０５はデータプロセッサー１０３から提供されるサーボと関連した信号を提供されて光記録媒体１０の回転速度制御に関連したモーター制御とトラッキング、フォーカスなどサーボ制御を担当する。
【００２４】
モーター駆動部１０６はディスク１０の回転と関連したモータとそのドライブを含み、サーボ制御部１０５で提供されたモーター駆動信号、トラッキングサーボまたはフォーカシングサーボのためのサーボ駆動信号によってモーターとそのドライブとを制御する。
【００２５】
光記録媒体の記録及び再生装置は、前述した各構成ブロック及びその間の信号の流れなどを総括制御するマイコン１０７をさらに含みうる。
【００２６】
図２は、本発明の位相基準信号とグルーブウォッブル信号との位相差検出装置の詳細ブロック図を示す図面である。
【００２７】
図２の位相基準信号とグルーブウォッブル信号（以下、ウォッブル信号）との位相差検出装置は、ウォッブルＰＬＬ部２００、中心検出部２１０、カウントホールド信号生成部２２０、カウンター２３０、カウントラッチ部２４０及び分周器２６０を含む。
【００２８】
ウォッブルＰＬＬ部２００はウォッブル信号を入力信号とする位相同期ループ回路の結果であるウォッブルクロック信号ｗｂｃｌｋと、入力されるウォッブル信号と位相同期された被ウォッブル信号（ｐｗｂ；ＰＬＬ ｗｏｂｂｌｅ）を出力する。図３は、ウォッブルＰＬＬ部２００の詳細構成図である。図３においてウォッブルＰＬＬ部２００はウォッブル信号と、位相同期されたウォッブルクロックｗｂｃｌｋ信号のｎ分周信号であるｐｗｂとを比較してその位相差を出力する位相検出器２０１、位相検出器からの位相差信号を低域通過させるローパスフィルター（ＬＰＦ）２０２、ＬＰＦ２０２から出る電圧に相応するクロック発振信号を出力する電圧制御発振器（ＶＣＯ）２０３及びＶＣＯ２０３から出力されたウォッブルクロックｗｂｃｌｋをｎ分周して被ウォッブル信号ｐｗｂを発生させるｎ分周器２０４を含む。被ウォッブル信号ｐｗｂは元のウォッブル信号が有する固有周波数と位相とを有する。
【００２９】
図２の中心検出部２１０は位相基準信号の中心を検出する。ＤＶＤ−Ｒ、ＤＶＤ−ＲＷにおいて、位相基準信号のＬＰＰ信号は一般的に５〜６Ｔ（１Ｔは１チャンネルクロック周期）のパルス幅を有する。そのようなＬＰＰ信号の立上りエッジ１Ｔを検出して２〜３Ｔを遅延させることによってＬＰＰの中心検出信号を出力する。
【００３０】
カウントホールド信号生成部２２０は中心検出部２１０の中心検出信号から最初に発生する被ウォッブルｐｗｂの立上りエッジでカウントホールド信号を生じる。
【００３１】
カウンター２３０は中心検出信号から位相基準信号の周期をセットし、ホールド信号が生じる時点までウォッブルクロックｗｂｃｌｋ単位でダウンカウントする。
【００３２】
カウントラッチ部２４０は、カウンター２３０で算出したカウント値をホールド信号生成部２２０で生成されたホールド信号を用いてホールドし、次のホールド信号が生じるまで保って実際に補償すべきウォッブルの位相差を算出する役割をする。
【００３３】
分周器２６０は、カウントラッチ部２４０で出力される位相差の読出しを指示するための信号をマイコン１０７に提供する。一般にカウントホールド信号生成部２２０で生じるラッチ信号の幅は最小限１被ウォッブル周期として発生し、正常な被ウォッブル信号の周期はマイコンの処理周期より短い。したがって、分周器はラッチ信号を適切に分周してマイコン１０７で処理可能な信号として出力する。分周器２６０の出力は、マイコン１０７にカウントラッチ部２４０の出力信号の読出しを指示するためのものであるので、マイコン１０７自体がポーリング方式によりカウントラッチ部２４０の出力である位相差を読出す方式であれば、分周器２６０の出力は必ずしも必要なものではない。
【００３４】
図４は、図２の構成要素で出力される信号のタイミング図を示すものである。
【００３５】
まず、図４の（ａ）は、図２の中心検出部２１０から出力された中心検出信号の例である。これはＤＶＤ−Ｒ、ＤＶＤ−ＲＷの例において、位相基準信号であるＬＰＰの中心検出信号に該当する。
【００３６】
（ｂ）は光記録媒体上のウォッブル信号と同一な位相及び周波数を有するウォッブルＰＬＬ部２００から出力された被ウォッブル信号ｐｗｂの例である。
【００３７】
（ｃ）はカウンター２３０の出力値に関するものである。ＬＰＰ中心検出信号の発生後に最初に発生するｐｗｂ信号の立上りエッジまでウォッブルクロックｗｂｃｌｋ単位でダウンカウントし、ホールド信号によりカウント値がホールドされた値を１８５−Ａ、１８５−Ｂ、１８５−Ｃ及び１８５−Ｄとして示している。ＤＶＤ−Ｒ、ＤＶＤ−ＲＷでウォッブル１周期は１８６クロックｗｂｃｌｋである。
【００３８】
（ｄ）はホールド信号生成部２２０の出力結果であって、中心検出部２１０の中心検出信号から最初に発生する被ウォッブルｐｗｂの立上りエッジを出力したものである。
【００３９】
（ｅ）はカウントラッチ部２４０の出力値であって、カウンター２３０でカウントした値をホールド信号生成部２２０で生成されたホールド信号でラッチしたものである。その出力値は、各々Ａ＝１０５、Ｂ＝９０、Ｃ＝４０、Ｄ＝１７０である時の補償すべき位相差に該当する。すなわち、ＬＰＰとウォッブル信号との位相差はＬＰＰの立上りエッジとｐｗｂである被ウォッブル信号の立上りエッジとの差となる。図４の例において、カウントラッチ出力は各々１８５−Ａ、１８５−Ｂ、１８５−Ｃ、１８５−Ｄである。ＤＶＤ−Ｒ、ＤＶＤ−ＲＷにおいて１ウォッブル信号周期を１８６ウォッブルクロックｗｂｃｌｋとすれば、カウント値は０〜１８５の範囲に位置する。したがって、図４の例においてＡ＝１０５、Ｂ＝９０、Ｃ＝４０、Ｄ＝１７０である時、生じたＬＰＰ信号とグルーブウォッブル信号との位相差は各々１８５−１０５＝８０、１８５−９０＝９５、１８５−４０＝１４５、１８５−１７０＝１５となる。
【００４０】
（ｆ）は位相基準信号のＬＰＰとウォッブル信号との位相差信号をマイコンが読出し、記録及び再生に関連された所定の制御プロセスを行うのに用いられるように、マイコンに提供するインタラプト信号である。ＤＶＤ−Ｒ、ＤＶＤ−ＲＷにおいて１ウォッブル周期は一般に１８６ｗｂｃｌｋである約７．１１ｕ ｓｅｃと非常に短い。そのようなウォッブル周期でインタラプトが生じる時、マイコンでそれを処理できない恐れもあるのでウォッブル周波数に対して適切な分周が必要となる。（ｆ）はｐｗｂを２分周した出力値である。（ｆ）のインタラプト信号はマイコンが（ｅ）のような位相差値を読出すのに必ずしも必要な出力ではない。マイコンがポーリング方式で所定時間周期で位相差値を読出すように自体プログラムされる場合に（ｆ）のようなインタラプト信号が不要となる。
【００４１】
前述したように位相基準信号とグルーブウォッブル信号との位相差を検出する装置及び方法を提供することによって、所定の基準値以上の位相差に対して補償可能になって、位相基準信号とウォッブルとを用いて光記録媒体上のさらに正確な記録及び再生を可能にする。
【００４２】
【発明の効果】
本発明によれば、光記録媒体上の位相基準信号とウォッブルとの位相差を検出して補償することによって、光記録媒体上におけるデータの記録及び再生をさらに正確に行える。
【図面の簡単な説明】
【図１】  光記録媒体の記録及び再生装置の概略的なブロック図である。
【図２】  本発明の位相基準信号とグルーブウォッブル信号との位相差検出装置を示す詳細ブロック図である。
【図３】  図２のウォッブルＰＬＬ部を示す詳細図である。
【図４】  図２の構成要素から出力される信号を示すタイミング図である。
【符号の説明】
２００    ウォッブルＰＬＬ部
２１０    中心検出部
２２０    カウントホールド信号生成部
２３０    カウンター
２４０    カウントラッチ部
２６０    分周器
【図１】
0004515713.tif 000002
【図２】
0004515713.tif 000003
【図３】
0004515713.tif 000004
【図４】
0004515713.tif 000005